(57)【要約】【課題】粒子移動型表示方式による表示色の切替えにより、同一面上の２種のパターンが見え隠れする視覚効果を奏し、視認性と表現性に優れた電子表示媒体を提供する。【解決手段】本発明に係る電子表示媒体１００は、透明電極基材１０および対向電極基材２０の間に配置された粒子移動型表示層３０を有し、透明電極基材の粒子移動型表示層の反対側の面上に第１表面色４１Ｒを有する第１不透明パターン層４１と、第２表面色４２Ｒを有する第２不透明パターン層４２を有し、粒子移動型表示層３０の第１表示色３１Ｒは第１表面色４１Ｒと同一色もしくは同系色であり、第２表示色３２Ｒは第２表面色４２Ｒと同一色もしくは同系色である。【選択図】  図２
2018185360.tif 000002
【特許請求の範囲】
【請求項１】
透明基材および前記透明基材上に形成された透明電極を有する透明電極基材、
対向基材および前記対向基材に形成された対向電極を有する対向電極基材、
並びに前記透明電極および前記対向電極の間に配置され前記透明電極基材と前記対向電極基材との間にかかる電圧に応じて少なくとも２色に反転表示される粒子移動型表示層を有し、
前記透明電極基材の表出面上に、前記粒子移動型表示層の表示部を部分的に覆う不透明パターン層を有し、
前記不透明パターン層は、少なくとも第１表面色となる第１不透明パターン層と、第２表面色となる第２不透明パターン層を有し、
前記粒子移動型表示層の反転表示される２色のうちの一色である第１表示色と前記第１表面色とが同一色もしくは同系色であり、他の色である第２表示色と前記第２表面色とが同一色もしくは同系色に調整されていることを特徴とする
電子表示媒体。
【請求項２】
前記第１不透明パターン層の前記第１表面色が白色もしくは白色の同系色、前記第２不透明パターン層の前記第２表面色が前記白色以外もしくは白色の同系色以外であることを特徴とする請求項１に記載の
電子表示媒体。
【発明の詳細な説明】
【技術分野】
【０００１】
本発明は、視認性、表現性に優れた電子表示媒体に関する。
【背景技術】
【０００２】
近年、電子ペーパーは、視認性、書換え性、省エネルギー性等の特性を生かし、電子書籍端末として普及しつつある。さらに、電子ペーパーは、紙媒体の印刷物に近く、高コントラストで高精細な表示物を提供できることから、通路などの案内板や店頭商品周りの広告媒体としても提案されている。
【０００３】
特許文献１は、ツイストボール型電子ペーパーと、ツイストボール型電子ペーパーの透明電極基材側表面上の表示領域の一部に、交換可能に配置された固定絵柄層を有することを特徴とする電子広告媒体であって、認知率が良好で、コスト的にも有利である作用効果を有するものである。すなわち、経時的に可変の表示を行うことが可能な電子ペーパーと、情報内容が示されている固定絵柄層を併用することにより、電子ペーパーの表示の変化によって電子広告媒体をより人目を引きやすいものとすることができ、固定絵柄層に示されている情報内容についても認知されやすい、すなわち認知率を良好なものとすることができるものである。
【０００４】
しかしながら、特許文献１では、電子ペーパーの可変表示と固定絵柄層の併用によって認知率を良好にする効果がみられるものの、電子ペーパーの２色の表示色の各々と、固定絵柄層２種のパターンの各々とを同一色として、表示色を切り替えることにより固定絵柄層の２種のパターンが見え隠れする効果を奏し、視認性と表現性に優れた電子表示媒体を提供することについては開示されていない。
【先行技術文献】
【特許文献】
【０００５】
【特許文献１】特開２０１４−１１２１５９号公報
【発明の概要】
【発明が解決しようとする課題】
【０００６】
本発明は、粒子移動型表示層の表示色の切替えにより、粒子移動型表示層上にその一部を隠蔽する２種のパターンが見え隠れする視覚効果を奏し、視認性と表現性に優れた電子表示媒体を提供することを課題とする。
【課題を解決するための手段】
【０００７】
上記の課題を解決する本発明は、透明基材および前記透明基材上に形成された透明電極を有する透明電極基材、対向基材および前記対向基材に形成された対向電極を有する対向電極基材、並びに前記透明電極および前記対向電極の間に配置され前記透明電極基材と前記対向電極基材との間にかかる電圧に応じて少なくとも２色に反転表示される粒子移動型表示層を有し、前記透明電極基材の表出面上に、前記粒子移動型表示層の表示部を部分的に覆う不透明パターン層を有し、前記不透明パターン層は、少なくとも第１表面色となる第１不透明パターン層と、第２表面色となる第２不透明パターン層を有し、前記粒子移動型表示層の反転表示される２色のうちの一色である第１表示色と前記第１表面色とが同一色もしくは同系色であり、他の色である第２表示色と前記第２表面色とが同一色もしくは同系色に調整されていることを特徴とする電子表示媒体である。
【発明の効果】
【０００８】
本発明の電子表示媒体によれば、透明電極基材の粒子移動型表示層の反対側の面上に、粒子移動型表示層の表示部を部分的に隠蔽する不透明部からなる不透明パターン層の第１不透明パターン層と、第２表面色を有する第２不透明パターン層を有し、粒子移動型表示層にかかる電圧により表示される第１表示色と第２表示色のうち、第１表示色は前記第１表面色と同一色であり、第２表示色は前記第２表面色と同一色であることによって、粒子移動型表示層が第１表示色の場合に第１表面色の第１不透明パターン層が視認できない状態と、第２表示色の場合に第２不透明パターン層は視認できない状態とを切換えることができる。また、表示色をどちらか一方の状態に、電力を要せず維持することができる。
【０００９】
すなわち、異なる２種の表示内容の不透明パターンを同一画面上に形成して表現性を増し、粒子移動型表示方式による表示色の切替えにより、２種の不透明パターン層が浮き沈みするように見え隠れする効果を奏し、その変化によって観察者の視認性を高めることができる。
【図面の簡単な説明】
【００１０】
【図１】本発明の電子表示媒体の断面図である。
【図２】本発明の電子表示媒体の異なる二つの視認状態を示す断面図及び平面図である。
【発明を実施するための形態】
【００１１】
図面を参照して、本発明の実施形態について説明する。
【００１２】
図１は、本発明の電子表示媒体１００を示す断面図である。
【００１３】
図１に示すように、本発明の電子表示媒体１００は、透明基材１１及び透明基材１１上に形成された透明電極１２を有する透明電極基材１０、対向基材２１及び対向基材２１上に形成された対向電極２２を有する対向電極基材２０、透明電極基材１０及び対向電極基材２０の間に配置された粒子移動型表示層３０、並びに、透明電極基材１０の表出面上、即ち、粒子移動型表示層３０の反対側の面上に、粒子移動型表示層の表示部を部分的に隠蔽する不透明部からなる第１不透明パターン層４１及び第２不透明パターン層４２を有する不透明パターン層４０を有することを特徴とするものである。
【００１４】
本発明における粒子移動型表示層３０は、粒子移動型表示方式により表示を可能とするものである。粒子移動型表示方式は、正、負に帯電した着色粒子を電気的に移動や回転を起こさせて表示色を変換することで、少なくとも２色に反転表示できる。また、表示色を変換する際の消費電力が少なく、また表示色をそのまま維持する際には基本的に電力を不要とする特性を持っている。
【００１５】
粒子移動型表示方式による表示装置としては、ツイストボール方式、電気泳動方式１粒子型、電気泳動方式２粒子型、電子粉粒体方式などが挙げられる。
【００１６】
図２（ａ）、（ｂ）は、粒子移動型表示層３０として、ツイストボール方式による表示を可能とするツイストボール層の場合を例示している。
【００１７】
図２（ａ）、（ｂ）において、粒子移動型表示層３０は、透明電極基材１０と対向電極基材２０との間にかかる電圧により第１表示色３２Ｒと第２表示色３１Ｒの２色に表示されるものである。
【００１８】
本発明に用いられる粒子移動型表示層３０がツイストボール層である場合、ツイストボール層はツイストボール３０Ｔおよび低極性溶媒を含む低極性溶媒層（図示せず）からなる。ツイストボール３０Ｔは、図２（ａ）、（ｂ）の断面図中の円の半分が黒色、残る半分が白色からなるものを示しており、同様の隣に並ぶものを総称するものである。
【００１９】
本発明に用いられるツイストボールとしては、球状であり、図中の矢印のように回転す                                                                              
ることによって異なる２色の第１表示色３１Ｒと第２表示色３２Ｒを表示するもので、これらの異なる２色の各部が互いに異なる帯電特性を有するものである。ここで、異なる２色としては、例えば、黒色と白色や、赤色と白色、黄色と白色、青と白色、緑色と白色、紫色と白色等の「有彩色相と白色相」、赤色と青色、緑色と黄色他の上記有彩色相同士を組合せたもの等の「有彩色相と有彩色相」を挙げることができる。
【００２０】
また、上記ツイストボールは、球状の単分散粒子で、その平均粒子径が体積基準で表して１．０μｍ〜４００μｍの範囲内で、好ましくは、２０μｍ〜２００μｍの範囲内で、更に好ましくは、５０μｍ〜１２０μｍの範囲内に適宜調製されたものを用いることができる。
【００２１】
本発明に用いられる低極性溶剤としては、上記のツイストボールの回転を円滑にすることができるものであれば特に限定されものではない。ジメチルシリコーンオイル、イソパラフィン系溶媒、及び直鎖パラフィン系溶媒、ドデカン、トリドデカン等の直鎖アルカンを挙げることができる。
【００２２】
本発明に用いられる粒子移動型表示層３０であるツイストボール層の膜厚としては、ツイストボールを回転させることにより表示を行うことが可能であれば特に限定されるものでないが、５０μｍ〜１０００μｍの範囲内、なかでも１００μｍ〜７００μｍの範囲内、特に２００μｍ〜５００μｍの範囲内であることが好ましい。
【００２３】
本発明における不透明パターン層４０は、透明電極基材１０の表出面上、即ち、粒子移動型表示層３０の反対側の同一面上にあって、粒子移動型表示層３０の表示部を部分的に覆い隠蔽する不透明な層である。
【００２４】
不透明パターン層４０は、文字、絵柄、写真などの情報内容が示されている層であり、印刷法、インクジェット法などによって設けることができる。
【００２５】
不透明パターン層４０は、異なる表示色を有する第１不透明パターン層４１と第２不透明パターン層４２からなる。
【００２６】
そして、図２（ａ）上の断面図に示すように、第１表示色３１Ｒは第１不透明パターン層４１の第１表面色４１Ｒと同一色もしくは同系色である。この状態では、図２（ａ）下の平面図に示すように、第１表面色４２Ｒの第１不透明パターン層４２であるハートマークを視認することができる。そして第１表面色４１Ｒの第１不透明パターン層４１であるフェースマークを視認し難い。
【００２７】
また、図２（ｂ）上の断面図に示すように、第２表示色３２Ｒは第２表面色４２Ｒと同一色もしくは同系色である。この状態では、図２（ｂ）下の平面図に示すように、第１表面色４１Ｒの第２不透明パターン層４１であるフェースマークを視認することができる。そして第２表面色４２Ｒの第２不透明パターン層４２であるハートマークを視認し難い。
【００２８】
すなわち、すなわち、２種の表示色を切り替えることにより２種の不透明パターン層である第１不透明パターン層４２であるハートマークと第２不透明パターン層４２であるハートマークとが、浮き沈みするように見え隠れする効果を奏する。
【００２９】
本発明の電子表示媒体によれば、ＰＯＰとして店頭の商品の近くに設置される場合には、商品を顧客が手に取って試すテスターに組み込むことによって、商品が収納部から離れた瞬間に、電子表示媒体の粒子移動型表示層の表示色が切り替わり、例えば、第１表示色から第２表示色へ変わることによって、第１不透明パターン層の文字や絵柄が見え難く、即ち隠れてしまい、代わって第２不透明パターン層の文字や絵柄が表れる、すなわち第１不透明パターン層と第２不透明パターン層が浮き沈み見え隠れする効を奏して、その瞬時の変化によって顧客の注目を得ることができ視認性が高い効果がある。
【００３０】
また、案内板として用いられる場合には、時間帯によって案内の内容、例えば、通路の通行方向や広告催物等の掲示内容が変わる場合、２種類の表示内容を交互に表示して歩行者等に注意を喚起することができる。また、表示を固定する際に電力不要のためコスト面でも利点がある。
【００３１】
また、建装材として用いられる場合には、例えば、空間を区切るための間仕切りとして使われる際には、部屋の雰囲気を変える演出効果がある。特に第１不透明パターン層を白色とし、第２不透明パターン層を白色以外の色調とした場合には、室内の白地を基調とした壁や天井等の背景と適合して違和感がなく、白色以外の色調へ変化することによって意外性の効果が得られる。
【００３２】
本発明における透明電極基材１０は、透明基材１１と、透明基材１１上に形成された透明電極１２とを有するものである。
【００３３】
本発明に用いられる透明基材１１としては、透明性を有する材料であれば特に限定されるものではないが、粒子移動型表示層３０の表示色を妨げないよう可視光領域における透過率が８０％以上であることが好ましい。が具体的には、無機系材料のガラス、有機系材料のポリプロピレン、ポリエチレン、ポリ塩化ビニル、ポリスチレン、ポリエチレンテレフタレート、ポリカーボネート、ポリエーテルイミド、ポリイミド、アクリル樹脂、エポキシ樹脂、フェノール樹脂等を挙げることができる。
【００３４】
透明電極基材１０に用いられる透明電極１２としては、透明性を有する電極であれば特に限定されるものではなく、透明導電性材料を用いて薄膜状に形成された電極や、導電性材料を用いてメッシュ状に形成された電極等を挙げることができる。
【００３５】
上記透明導電材料としては、例えば、酸化インジウム錫（ＩＴＯ）、酸化インジウム亜鉛（ＩＺＯ）、酸化錫、酸化アルミ亜鉛（ＡＺＯ）等の導電性酸化物、金、ニッケル、銀等の金属、ポリアニリン、ポリアセチレン、ポリアルキルチオフェン誘導体、ポリシラン誘導体等の導電性高分子等が挙げることができる。
【００３６】
上記メッシュ状に形成された電極として用いられる材料としては、導電性を有するものであれば特に限定されるものではなく、例えば、アルミニウム、銅、銀等の金属、銀、銅、カーボン等の材料を用いたペーストやコロイド溶液等を挙げることができる。
【００３７】
また、本発明における対向電極基材２０は、対向基材２１及び対向基材２１上に形成された対向電極２２を有するものである。
【００３８】
本発明に用いられる対向基材２１として、対向基材２１上に対向電極２２を形成することができれば特に限定されるものではない。また、対向基材２１としては、透明性を有していなくてもよい。上述した透明基材１１で説明した無機系材料や有機系材料等を挙げることができる。
【００３９】
本発明に用いられる対向電極２２は、対向基材１１上全面に形成されていてもよく、電子情報媒体１００において表示される情報に応じたセグメント形状、ストライプ形状、格子形状、幾何学形状等であってもよい。
【００４０】
このような対向電極に用いられる材料としては、導電性を有する材料であれば特に限定されるものではない。例えば、金、アルミニウム、銀、ニッケル、銅等の金属、及びＩＴＯ、ＳｎＯ2、ＺｎＯ；Ａｌ等の透明導電体等、上記の透明電極１２で説明した材料を挙げることができる。
【００４１】
また、本発明の電子表示媒体１００において、透明電極基材１０の表出面上、即ち、粒子移動型表示層３０の反対側に、透明保護材を設けて、その透明保護材の粒子移動型表示層３０の反対側の面上に、粒子移動型表示層３０の表示部を部分的に隠蔽する不透明部からなる不透明パターン層４０を有し、不透明パターン層４０は、少なくとも第１表面色４１Ｒを有する第１不透明パターン層４１と、第２表面色を有する第２不透明パターン層４２を有していてもよい。
【００４２】
透明保護材の粒子移動型表示層の反対側の面上に不透明パターン層を設けることは、透明電極が設けられた透明電極基材を取り換えることなく、透明保護材と透明保護材の面上の不透明パターン層の文字や絵柄の情報内容を取り換えることができ、作成工程、コストの面から利点がある。
【００４３】
透明保護材に用いられる材料は、透明基材１１で説明した材料を挙げることができる。
【００４４】
さらに、本発明の電子表示媒体１００において、不透明パターン層４０の少なくとも第１不透明パターン層４１及び／又は第２不透明パターン層４２が、微小なドットの集合体、即ち印刷用網点により形成されてなるものであってもよい。
【００４５】
本発明の電子表示媒体によれば、不透明パターン層４０の少なくとも第１不透明パターン層４１及び／又は第２不透明パターン層４２が、微小なドットの集合体により形成されてなるものであることによって、第１不透明パターン層４１及び／又は第２不透明パターン層４２が階調を有するものとすることができ、表現性を増し、その変化によって顧客への視認性を高めることができる。
【符号の説明】
【００４６】
１０  …  透明電極基材
１１  …  透明基材
１２  …  透明電極
２０  …  対向電極基材
２１  …  対向電極
２２  …  対向基材
３０  …  粒子移動型表示層
３０Ｔ  …  ツイストボール
３１Ｒ  …  第１表示色
３２Ｒ  …  第２表示色
４０  …  不透明パターン層
４１  …  第１不透明パターン層
４１Ｒ  …  第１表面色
４２  …  第２不透明パターン層
４２Ｒ  …  第２表面色
１００  …  電子表示媒体
【図１】
2018185360.tif 000003
【図２】
2018185360.tif 000004